(57)【要約】【課題】印刷の実行中におけるユーザの身体的負担を軽減することができるネイルプリンタを提供する。【解決手段】ネイルプリンタ２は、前面４ｂに指１０を所定方向に挿入するための開口部１２を有する筐体４と、筐体４の内部に配置され、開口部１２を通して筐体４の内部に配置された指１０の爪１８に印刷を施す印刷部６とを備える。筐体４は、さらに、開口部１２の両側にそれぞれ配置された一対の傾斜壁部２０，２２であって、筐体４の前面４ｂから背面４ｃに向けて、所定方向に対して斜め下方に傾斜する一対の傾斜壁部２０，２２を有する。【選択図】図１
2020031670.tif 000002
【特許請求の範囲】
【請求項１】
指の爪に印刷を施すためのネイルプリンタであって、
前面に前記指を所定方向に挿入するための開口部を有する筐体と、
前記筐体の内部に配置され、前記開口部を通して前記筐体の内部に配置された前記指の爪に印刷を施す印刷部と、を備え、
前記筐体は、さらに、前記開口部の両側にそれぞれ配置された一対の傾斜壁部であって、前記筐体の前記前面から背面に向けて、前記所定方向に対して斜め下方に傾斜する一対の傾斜壁部を有する
ネイルプリンタ。
【請求項２】
前記ネイルプリンタは、さらに、前記一対の傾斜壁部の前記所定方向に対する傾斜角度を可変させる可動機構を備える
請求項１に記載のネイルプリンタ。
【請求項３】
前記筐体は、さらに、前記一対の傾斜壁部からそれぞれ前記筐体の外部に向けて突出する一対の突部を有する
請求項１又は２に記載のネイルプリンタ。
【請求項４】
前記一対の突部はそれぞれ、前記一対の傾斜壁部に沿ってスライド可能である
請求項３に記載のネイルプリンタ。
【請求項５】
前記筐体は、さらに、前記開口部と前記一対の傾斜壁部との間にそれぞれ配置され、前記一対の傾斜壁部よりも前記筐体の外部に向けてそれぞれ突出する一対の側壁部を有する
請求項１〜４のいずれか１項に記載のネイルプリンタ。
【請求項６】
前記印刷部は、
前記筐体の内部に移動可能に配置されたキャリッジと、
前記キャリッジに配置され、前記指の爪に向けてインクを吐出するヘッド部と、を有する
請求項１〜５のいずれか１項に記載のネイルプリンタ。
【発明の詳細な説明】
【技術分野】
【０００１】
本発明は、指の爪に印刷を施すためのネイルプリンタに関する。
【背景技術】
【０００２】
ユーザの手の指の爪に印刷によるマニキュアを施すためのネイルプリンタが知られている（例えば、特許文献１参照）。ネイルプリンタは、筐体と、筐体の内部に配置されたプリントヘッドとを備えている。筐体の前面には、指を挿入するための開口部が形成されている。プリントヘッドは、筐体の内部で二次元的に移動しながら、開口部を通して筐体の内部に配置された指の爪に向けてインクを吐出する。
【０００３】
ユーザが例えば手の五指を筐体の開口部に順次挿入することにより、五指の各爪に例えば色又は絵柄等の印刷が施される。
【先行技術文献】
【特許文献】
【０００４】
【特許文献１】特開２０００−１９４８３８号公報
【発明の概要】
【発明が解決しようとする課題】
【０００５】
上述した従来のネイルプリンタでは、ユーザが指を筐体の開口部に挿入している際に、乾燥前の印刷済みの他の指の爪が筐体の前面に接触した場合には、当該他の指の爪に施された印刷が剥がれるおそれが生じる。そのため、ユーザは、筐体の開口部に挿入していない指の爪が筐体の前面に接触しないように、当該指をしっかりと折り曲げておく必要がある。
【０００６】
しかしながら、ユーザが、印刷の実行中において、筐体の開口部に挿入していない指をしっかりと折り曲げた状態で維持することは、ユーザにとって大きな身体的負担になるという課題が生じる。
【０００７】
本発明は、上述した課題を解決しようとするものであり、その目的は、印刷の実行中におけるユーザの身体的負担を軽減することができるネイルプリンタを提供することである。
【課題を解決するための手段】
【０００８】
上記目的を達成するために、本発明の一態様に係るネイルプリンタは、指の爪に印刷を施すためのネイルプリンタであって、前面に前記指を所定方向に挿入するための開口部を有する筐体と、前記筐体の内部に配置され、前記開口部を通して前記筐体の内部に配置された前記指の爪に印刷を施す印刷部と、を備え、前記筐体は、さらに、前記開口部の両側にそれぞれ配置された一対の傾斜壁部であって、前記筐体の前記前面から背面に向けて、前記所定方向に対して斜め下方に傾斜する一対の傾斜壁部を有する。
【０００９】
本態様によれば、筐体の開口部の両側にはそれぞれ一対の傾斜壁部が配置されているので、ユーザは、筐体の開口部に挿入していない指を傾斜壁部に沿って軽く伸ばすことができる。その結果、ユーザは、筐体の開口部に挿入していない指をしっかりと折り曲げた状態で維持する必要が無いため、印刷の実行中におけるユーザの身体的負担を軽減することができる。
【００１０】
例えば、本発明の一態様に係るネイルプリンタにおいて、前記ネイルプリンタは、さらに、前記一対の傾斜壁部の前記所定方向に対する傾斜角度を可変させる可動機構を備えるように構成してもよい。
【００１１】
本態様によれば、例えばユーザの手の大きさ等に応じて、一対の傾斜壁部の所定方向に対する傾斜角度を任意の角度に可変させることができる。その結果、ユーザが筐体の開口部に挿入していない指を傾斜壁部に沿って軽く伸ばした際に、当該指の爪が傾斜壁部に接触するのをより確実に抑制することができる。
【００１２】
例えば、本発明の一態様に係るネイルプリンタにおいて、前記筐体は、さらに、前記一対の傾斜壁部からそれぞれ前記筐体の外部に向けて突出する一対の突部を有するように構成してもよい。
【００１３】
本態様によれば、ユーザが筐体の開口部に挿入していない指を傾斜壁部に沿って軽く伸ばした際に、当該指の背側が傾斜壁部の突部に当たるようになる。これにより、当該指の爪が傾斜壁部に接触するのをより確実に抑制することができる。
【００１４】
例えば、本発明の一態様に係るネイルプリンタにおいて、前記一対の突部はそれぞれ、前記一対の傾斜壁部に沿ってスライド可能であるように構成してもよい。
【００１５】
本態様によれば、例えばユーザの手の大きさ等に応じて、一対の突部をそれぞれ一対の傾斜壁部に沿ってスライドさせることにより、一対の突部の各位置を容易に調節することができる。
【００１６】
例えば、本発明の一態様に係るネイルプリンタにおいて、前記筐体は、さらに、前記開口部と前記一対の傾斜壁部との間にそれぞれ配置され、前記一対の傾斜壁部よりも前記筐体の外部に向けてそれぞれ突出する一対の側壁部を有するように構成してもよい。
【００１７】
本態様によれば、ユーザは、指を筐体の開口部に挿入した状態で、筐体の開口部に挿入していない他の二指で一対の側壁部を両側から挟持することにより、当該他の二指の姿勢をより安定させることができる。
【００１８】
例えば、本発明の一態様に係るネイルプリンタにおいて、前記印刷部は、前記筐体の内部に移動可能に配置されたキャリッジと、前記キャリッジに配置され、前記指の爪に向けてインクを吐出するヘッド部と、を有するように構成してもよい。
【００１９】
本態様によれば、指の爪にインクジェット方式による印刷を施すことができる。
【発明の効果】
【００２０】
本発明の一態様に係るネイルプリンタによれば、印刷の実行中におけるユーザの身体的負担を軽減することができる。
【図面の簡単な説明】
【００２１】
【図１】実施の形態１に係るネイルプリンタを示す斜視図である。
【図２】図１とは異なる角度から見た状態での、実施の形態１に係るネイルプリンタを示す斜視図である。
【図３】筐体の一部を切り欠いた状態での、実施の形態１に係るネイルプリンタの内部構造を示す斜視図である。
【図４】図１のＩＶ−ＩＶ線による、実施の形態１に係るネイルプリンタの断面図である。
【図５】実施の形態１に係るネイルプリンタの使用方法を説明するための斜視図である。
【図６】図５のＶＩ−ＶＩ線による、実施の形態１に係るネイルプリンタの要部断面図である。
【図７】実施の形態２に係るネイルプリンタの要部断面図である。
【図８】実施の形態３に係るネイルプリンタを示す斜視図である。
【図９】図８のＩＸ−ＩＸ線による、実施の形態３に係るネイルプリンタの要部断面図である。
【発明を実施するための形態】
【００２２】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、独立請求項に記載されていない構成要素については、任意の構成要素として説明される。
【００２３】
（実施の形態１）
［１−１．ネイルプリンタの構成］
まず、図１〜図４を参照しながら、実施の形態１に係るネイルプリンタ２の構成について説明する。図１は、実施の形態１に係るネイルプリンタ２を示す斜視図である。図２は、図１とは異なる角度から見た状態での、実施の形態１に係るネイルプリンタ２を示す斜視図である。図３は、筐体４の一部を切り欠いた状態での、実施の形態１に係るネイルプリンタ２の内部構造を示す斜視図である。図４は、図１のＩＶ−ＩＶ線による、実施の形態１に係るネイルプリンタ２の断面図である。
【００２４】
図１〜図４に示すように、ネイルプリンタ２は、筐体４と、印刷部６とを備えている。なお、ネイルプリンタ２は、例えばスマートフォン等の外部端末（図示せず）と無線通信可能である。ユーザは、外部端末にインストールされたアプリケーションをユーザインタフェースとして用いることにより、ネイルプリンタ２を操作することができる。
【００２５】
図１、図２及び図４に示すように、筐体４は、例えば樹脂製であり、箱形状に形成されている。図１及び図３に示すように、筐体４の天面４ａには、ネイルプリンタ２の電源をオン又はオフするための電源スイッチ８が配置されている。
【００２６】
図１〜図３に示すように、筐体４の前面４ｂには、ユーザの手の指１０（図３参照）を所定方向（Ｙ軸のプラス方向）に挿入するための開口部１２が配置されている。図３に示すように、開口部１２の下側（Ｚ軸のマイナス側）には載置プレート１４が配置され、開口部１２の上側（Ｚ軸のプラス側）には押さえプレート１６が配置されている。載置プレート１４は開口部１２に対して上下方向に移動可能であり、押さえプレート１６に近付く方向にバネ（図示せず）で付勢されている。
【００２７】
図３に示すように、ユーザは、指１０の爪１８が上側を向くようにして、指１０を真っ直ぐに伸ばした状態で筐体４の開口部１２に挿入し、指１０の腹側を載置プレート１４に載置する。なお、指１０の挿入方向は、筐体４の前面４ｂから背面４ｃ（前面４ｂと反対側の面）（図４参照）に向かう方向である。これにより、指１０の爪１８を含む部分（例えば、指１０の先端から第一関節の近傍までの部分）が筐体４の内部に配置される。この時、載置プレート１４が押さえプレート１６に近付く方向に付勢されることにより、例えば指１０の第一関節付近が載置プレート１４及び押さえプレート１６により上下から挟持される。
【００２８】
なお、筐体４の内部に配置された指１０の爪１８は、当該爪１８の上方に配置された撮像素子（図示せず）により撮像される。撮像素子により撮像された爪１８の画像データは、外部端末に無線で送信され、当該外部端末の表示部に表示される。ユーザは、外部端末の表示部に表示された爪１８の画像データを見ながら、載置プレート１４に対する指１０の爪１８の位置を調節する。
【００２９】
図１及び図２に示すように、筐体４の開口部１２の左右方向（Ｘ軸方向）における両側にはそれぞれ、一対の傾斜壁部２０，２２が配置されている。図４に示すように、一対の傾斜壁部２０，２２の各々は、筐体４の前面４ｂよりも背面４ｃ側にやや奥まった位置に配置され、筐体４の前面４ｂから背面４ｃに向けて、指１０の挿入方向（Ｙ軸方向）に対して斜め下方に傾斜している。一対の傾斜壁部２０，２２の指１０の挿入方向に対する傾斜角度θは、例えば４５°である。一対の傾斜壁部２０，２２の各下端部は、筐体４の底面４ｄの近傍まで延びている。
【００３０】
なお、本実施の形態では、傾斜壁部２０の横幅（Ｘ軸方向における幅）を傾斜壁部２２の横幅よりも大きくしたが、これに限定されない。傾斜壁部２０の横幅を傾斜壁部２２の横幅よりも小さくしてもよく、あるいは、傾斜壁部２０の横幅と傾斜壁部２２の横幅とを同じ大きさにしてもよい。
【００３１】
また、本実施の形態では、一対の傾斜壁部２０，２２の各々を平坦状に形成したが、これに限定されず、例えば湾曲状に形成してもよい。
【００３２】
また、図１、図２及び図４に示すように、筐体４の開口部１２と一対の傾斜壁部２０，２２との間にはそれぞれ、一対の側壁部２４，２６が配置されている。一対の側壁部２４，２６はそれぞれ、開口部１２の左右方向における両側から下方（Ｚ軸のマイナス方向）に延びるとともに、一対の傾斜壁部２０，２２よりも筐体４の外部（Ｙ軸のマイナス方向）に突出している。
【００３３】
図３及び図４に示すように、印刷部６は、筐体４の開口部１２を通して筐体４の内部に配置された指１０の爪１８に対して、例えば色又は絵柄等の印刷によるマニキュアを施すための印刷ユニットである。本実施の形態では、印刷部６の印刷方式は、指１０の爪１８に対して微滴化したインクを吹き付けて印刷を施すインクジェット方式である。
【００３４】
印刷部６は、筐体４の内部に移動可能に配置されている。印刷部６は、キャリッジ２８と、キャリッジ２８に配置されたヘッド部３０（図４参照）とを有している。キャリッジ２８には、各色のインクが充填されたインクカートリッジ３２が交換可能に搭載されている。ヘッド部３０は、インクカートリッジ３２から供給されるインクを下方に向けて吐出する。
【００３５】
図３及び図４に示すように、キャリッジ２８は、Ｘ軸駆動機構３４及びＹ軸駆動機構３６により、筐体４の内部でＸ軸方向及びＹ軸方向に移動する。
【００３６】
Ｘ軸駆動機構３４は、Ｘ軸ガイドシャフト３８と、Ｘ軸モータ４０と、タイミングベルト４２とを有している。Ｘ軸ガイドシャフト３８は、筐体４の内部に配置された走査テーブル４４に支持されており、Ｘ軸方向（指１０の挿入方向に対して略垂直な方向）に長尺状に延びている。Ｘ軸ガイドシャフト３８には、キャリッジ２８が移動可能に支持されている。Ｘ軸モータ４０は、例えばサーボモータであり、走査テーブル４４に支持されている。Ｘ軸モータ４０の駆動力は、タイミングベルト４２を介してキャリッジ２８に伝達される。これにより、キャリッジ２８は、走査テーブル４４に対して、Ｘ軸ガイドシャフト３８に沿ってＸ軸方向に往復移動する。
【００３７】
Ｙ軸駆動機構３６は、Ｙ軸ガイドシャフト４６と、Ｙ軸モータ（図示せず）と、ギアユニット４８とを有している。Ｙ軸ガイドシャフト４６は、筐体４に支持されており、Ｙ軸方向（指１０の挿入方向）に長尺状に延びている。Ｙ軸ガイドシャフト４６には、走査テーブル４４が移動可能に支持されている。Ｙ軸モータは、例えばサーボモータであり、筐体４に支持されている。Ｙ軸モータの駆動力は、ギアユニット４８を介して走査テーブル４４に伝達される。これにより、走査テーブル４４は、キャリッジ２８と一体的にＹ軸ガイドシャフト４６に沿ってＹ軸方向に往復移動する。
【００３８】
キャリッジ２８がＸ軸方向に往復移動しながら、Ｙ軸のマイナス方向に向けて移動している状態で、印刷部６のヘッド部３０から指１０の爪１８に向けてインクが吐出されることにより、指１０の爪１８に印刷が施される。
【００３９】
また、図３及び図４に示すように、筐体４の内部には、印刷部６のヘッド部３０をメンテナンスするためのメンテナンスユニット５０が配置されている。メンテナンスユニット５０は、ヘッド部３０の清掃（ワイピング）及び保護（キャッピング）を行う。メンテナンスユニット５０は、傾斜壁部２０の近傍に配置されており、Ｙ軸方向に往復移動可能である。
【００４０】
［１−２．ネイルプリンタの使用方法］
次に、図５及び図６を参照しながら、実施の形態１に係るネイルプリンタ２の使用方法について説明する。図５は、実施の形態１に係るネイルプリンタ２の使用方法を説明するための斜視図である。図６は、図５のＶＩ−ＶＩ線による、実施の形態１に係るネイルプリンタ２の要部断面図である。
【００４１】
以下、例えばユーザが左手の五指（親指１０ａ、人差し指１０ｂ、中指１０ｃ、薬指１０ｄ及び小指１０ｅ）をこの順に筐体４の開口部１２に挿入することにより、ネイルプリンタ２により当該五指の各爪１８（図３参照）に順次印刷を施す場合について説明する。
【００４２】
図５及び図６に示す例では、ユーザは、左手の中指１０ｃを筐体４の開口部１２に挿入している。この時、親指１０ａの爪１８ａ及び人差し指１０ｂの爪１８ｂには、ネイルプリンタ２により既に印刷が施されているものとする。
【００４３】
上述したように、筐体４の開口部１２の左右方向における両側にはそれぞれ、一対の傾斜壁部２０，２２が配置されている。これにより、図５及び図６に示すように、ユーザは、筐体４の開口部１２に挿入していない人差し指１０ｂを傾斜壁部２０に沿って軽く伸ばすことができるとともに、筐体４の開口部１２に挿入していない薬指１０ｄ及び小指１０ｅを傾斜壁部２２に沿って軽く伸ばすことができる。この時、人差し指１０ｂを軽く伸ばした状態であっても、乾燥前の印刷済みの人差し指１０ｂの爪１８ｂが傾斜壁部２０に接触し難くなるので、人差し指１０ｂの爪１８ｂに施された印刷が剥がれるおそれが少なくなる。
【００４４】
したがって、ユーザは、筐体４の開口部１２に挿入していない人差し指１０ｂ、薬指１０ｄ及び小指１０ｅをしっかりと折り曲げた状態で維持する必要が無いため、印刷の実行中におけるユーザの身体的負担を軽減することができる。
【００４５】
なお、ユーザは、中指１０ｃを筐体４の開口部１２に挿入した状態で、人差し指１０ｂ及び薬指１０ｄで一対の側壁部２４，２６を両側から挟持してもよい。これにより、人差し指１０ｂ及び薬指１０ｄの姿勢をより安定させることができる。
【００４６】
ユーザが中指１０ｃ以外の他の親指１０ａ、人差し指１０ｂ、薬指１０ｄ及び小指１０ｅを筐体４の開口部１２に挿入した際にも、上述と同様に、印刷の実行中におけるユーザの身体的負担を軽減することができる。
【００４７】
［１−３．効果］
上述したように、本実施の形態では、筐体４の開口部１２の左右方向における両側にはそれぞれ、一対の傾斜壁部２０，２２が配置されている。一対の傾斜壁部２０，２２の各々は、筐体４の前面４ｂから背面４ｃに向けて、指１０の挿入方向に対して斜め下方に傾斜している。
【００４８】
これにより、ユーザは、筐体４の開口部１２に挿入していない指１０（例えば人差し指１０ｂ、薬指１０ｄ及び小指１０ｅ）を、傾斜壁部２０（又は傾斜壁部２２）に沿って軽く伸ばすことができる。その結果、ユーザは、当該指１０をしっかりと折り曲げた状態で維持する必要が無いため、印刷の実行中におけるユーザの身体的負担を軽減することができる。
【００４９】
また、一対の傾斜壁部２０，２２の各々が指１０の挿入方向に対して斜め下方に傾斜しているので、例えばメンテナンスユニット５０等を配置するための空間を傾斜壁部２０（又は傾斜壁部２２）の近傍に確保することができる。その結果、ネイルプリンタ２の小型化を図ることができる。
【００５０】
（実施の形態２）
［２−１．ネイルプリンタの構成］
図７を参照しながら、実施の形態２に係るネイルプリンタ２Ａの構成について説明する。図７は、実施の形態２に係るネイルプリンタ２Ａの要部断面図である。説明の都合上、図７では、ネイルプリンタ２Ａの内部構造の図示を省略してある。なお、以下の各実施の形態において、上記実施の形態１と同一の構成要素には同一の符号を付して、その説明を省略する。
【００５１】
図７に示すように、本実施の形態のネイルプリンタ２Ａでは、一対の傾斜壁部２０Ａ，２２Ａはそれぞれ、ヒンジ５２，５４（可動機構の一例）を介して筐体４Ａの前面４ｂに傾動可能に支持されている。ユーザは、例えば手動により、傾斜壁部２０Ａをヒンジ５２周りに傾動させることができるとともに、傾斜壁部２２Ａをヒンジ５４周りに傾動させることができる。
【００５２】
なお、本実施の形態では、一対の傾斜壁部２０Ａ，２２Ａの各々を手動で傾動させるようにしたが、これに限定されず、例えば可動機構を構成する専用モータ（図示せず）により、一対の傾斜壁部２０Ａ，２２Ａの各々を自動で傾動させるようにしてもよい。あるいは、例えばキャリッジ２８（図３参照）のＹ軸方向への移動に連動して、一対の傾斜壁部２０Ａ，２２Ａの各々を自動で傾動させるようにしてもよい。
【００５３】
［２−２．効果］
本実施の形態では、例えばユーザの手の大きさ等に応じて、一対の傾斜壁部２０Ａ，２２Ａの所定方向（Ｙ軸方向）に対する傾斜角度θを任意の角度に可変させることができる。これにより、筐体４Ａの開口部１２に挿入していない指１０（例えば人差し指１０ｂ）を傾斜壁部２０Ａ（又は傾斜壁部２２Ａ）に沿って軽く伸ばした状態であっても、当該指１０の爪１８（例えば爪１８ｂ）が傾斜壁部２０Ａ（又は傾斜壁部２２Ａ）に接触するのをより確実に抑制することができる。
【００５４】
（実施の形態３）
［３−１．ネイルプリンタの構成］
図８及び図９を参照しながら、実施の形態３に係るネイルプリンタ２Ｂの構成について説明する。図８は、実施の形態３に係るネイルプリンタ２Ｂを示す斜視図である。図９は、図８のＩＸ−ＩＸ線による、実施の形態３に係るネイルプリンタ２Ｂの要部断面図である。説明の都合上、図９では、ネイルプリンタ２Ｂの内部構造の図示を省略してある。
【００５５】
図８及び図９に示すように、本実施の形態のネイルプリンタ２Ｂでは、筐体４Ｂは、一対の傾斜壁部２０Ｂ，２２Ｂからそれぞれ筐体４Ａの外部に向けて突出する一対の突部５６，５８を有している。一対の突部５６，５８はそれぞれ、一対の傾斜壁部２０Ｂ，２２Ｂの各傾斜方向に対して略垂直な方向（Ｘ軸方向）に長尺状に延びている。
【００５６】
また、一対の突部５６，５８はそれぞれ、一対の傾斜壁部２０Ｂ，２２Ｂの各傾斜方向に沿ってスライド可能である。具体的には、図８に示すように、突部５６は、傾斜壁部２０Ｂの外面に形成され、且つ、傾斜壁部２０Ｂの傾斜方向に沿って長尺状に延びる溝６０に摺動可能に嵌合されている。また、突部５８は、傾斜壁部２２Ｂの外面に形成され、且つ、傾斜壁部２２Ｂの傾斜方向に沿って長尺状に延びる溝６２に摺動可能に嵌合されている。
【００５７】
［３−２．効果］
本実施の形態では、図９に示すように、筐体４Ｂの開口部１２に挿入していない指１０（例えば人差し指１０ｂ）を傾斜壁部２０Ｂ（又は傾斜壁部２２Ｂ）に沿って軽く伸ばした際に、当該指１０の背側（例えば指１０の第一関節付近）が傾斜壁部２０Ｂの突部５６（又は傾斜壁部２２Ｂの突部５８）に当たるようになる。これにより、当該指１０の爪１８（例えば爪１８ｂ）と傾斜壁部２０Ｂ（又は傾斜壁部２２Ｂ）との間に間隙が形成されるので、当該指１０の爪１８が傾斜壁部２０Ｂ（又は傾斜壁部２２Ｂ）に接触するのをより確実に抑制することができる。
【００５８】
また、例えばユーザの手の大きさ等に応じて、一対の突部５６，５８をそれぞれ一対の傾斜壁部２０Ｂ，２２Ｂの各傾斜方向に沿ってスライドさせることにより、一対の突部５６，５８の各位置を容易に調節することができる。
【００５９】
なお、本実施の形態では、一対の突部５６，５８をそれぞれ一対の傾斜壁部２０Ｂ，２２Ｂの各傾斜方向に沿ってスライド可能としたが、一対の突部５６，５８をそれぞれ一対の傾斜壁部２０Ｂ，２２Ｂに固定してもよい。
【００６０】
（変形例）
以上、本発明の実施の形態１〜３に係るネイルプリンタ２（２Ａ，２Ｂ）について説明したが、本発明は、これらの上記各実施の形態に限定されるものではない。例えば、上記各実施の形態をそれぞれ組み合わせてもよい。
【００６１】
例えば、上記各実施の形態において、印刷部６の印刷方式をインクジェット方式としたが、これに限定されず、他の印刷方式を採用してもよい。
【産業上の利用可能性】
【００６２】
本発明は、例えば指の爪に印刷を施すためのネイルプリンタとして適用することができる。
【符号の説明】
【００６３】
２，２Ａ，２Ｂ  ネイルプリンタ
４，４Ａ，４Ｂ  筐体
４ａ  天面
４ｂ  前面
４ｃ  背面
４ｄ  底面
６  印刷部
８  電源スイッチ
１０  指
１０ａ  親指
１０ｂ  人差し指
１０ｃ  中指
１０ｄ  薬指
１０ｅ  小指
１２  開口部
１４  載置プレート
１６  押さえプレート
１８，１８ａ，１８ｂ  爪
２０，２０Ａ，２０Ｂ，２２，２２Ａ，２２Ｂ  傾斜壁部
２４，２６  側壁部
２８  キャリッジ
３０  ヘッド部
３２  インクカートリッジ
３４  Ｘ軸駆動機構
３６  Ｙ軸駆動機構
３８  Ｘ軸ガイドシャフト
４０  Ｘ軸モータ
４２  タイミングベルト
４４  走査テーブル
４６  Ｙ軸ガイドシャフト
４８  ギアユニット
５０  メンテナンスユニット
５２，５４  ヒンジ
５６，５８  突部
６０，６２  溝
【図１】
2020031670.tif 000003
【図２】
2020031670.tif 000004
【図３】
2020031670.tif 000005
【図４】
2020031670.tif 000006
【図５】
2020031670.tif 000007
【図６】
2020031670.tif 000008
【図７】
2020031670.tif 000009
【図８】
2020031670.tif 000010
【図９】
2020031670.tif 000011